(57)【要約】【課題】従来の水拭きも行える電気掃除機においては、複雑な防水構造を必要とし、また乾いたごみ用と水拭き用の床用吸込具の付け替えも必要とした。【解決手段】電動送風機を内蔵した掃除機本体の吸引部に接続された吸口１２と、吸口１２の床面側に取り付けられた軟質吸水体２２と、吸口１２に設置され、給水管２４によって接続された軟質吸水体２２に給水するための給水タンク２３とを有する構成にすることにより、複雑な防水構造を必要とせず、また同一の吸口が使用できるため床用吸込具の付け替えも必要とせずに、床面の水拭き掃除が可能になる電気掃除機の提供ができるようになる。【選択図】  図２
2004350826.tif 000002
【特許請求の範囲】
【請求項１】
電動送風機を内蔵した掃除機本体の吸引部に接続された吸口と、前記吸口の床面側に取り付けられた水拭き用の軟質吸水体と、前記吸口に設置され、給水管によって接続された前記軟質吸水体に給水するための給水タンクとを備えた電気掃除機。
【請求項２】
軟質吸水体を吸口から着脱自在とした請求項１に記載の電気掃除機。
【請求項３】
軟質吸水体と給水タンクとを固定し、一体で吸口から着脱自在とした請求項１に記載の電気掃除機。
【請求項４】
軟質吸水体を吸口内に収納可能とした請求項１に記載の電気掃除機。
【請求項５】
片側面に蓋を取り付けられた軟質吸水体が、自身の長手方向に設けられた軸に回転可能に取り付けられ、回転することにより軟質吸水体の吸水部が、吸口内に収納される請求項１または２に記載の電気掃除機。
【請求項６】
軟質吸水体への水分供給量を制御する構成とした請求項１〜５のいずれか１項に記載の電気掃除機。
【請求項７】
軟質吸水体が吸口内に収納されたときに、給水タンクから給水される、又は給水を止める構成を有した請求項４または５に記載の電気掃除機。
【請求項８】
給水タンク内の水あるいは軟質吸水体に、抗菌剤を含ませた請求項１から７のいずれか１項に記載の電気掃除機。
【発明の詳細な説明】
【０００１】
【発明の属する技術分野】
本発明は、水拭き掃除を可能にした電気掃除機に関するものである。
【０００２】
【従来の技術】
従来の水拭き掃除を可能にした電気掃除機としては、床用吸込具に取り付けたスポンジ体を水に浸して給水し、その後電気掃除を運転し、スポンジ体の水分を吸水していた。又、水拭き掃除用の床用吸込具と乾いたゴミ用の床用吸込具を兼ねることは難しく、水拭き掃除の際、床用吸込具の付け替えあるいは付け足しを行っていた（例えば、特許文献１参照）。
【０００３】
【特許文献１】
特開平７−５１２０９号公報
【０００４】
【発明が解決しようとする課題】
しかしながら、前記従来の構成では、床用吸込具に取り付けたスポンジ体の水分を吸水する必要があるため、電気掃除機本体は水を吸い込むことが可能な十分な防水構成を有する必要があり、複雑な本体構成を必要とした。又、水拭き掃除と、乾いたゴミの吸引掃除を床用吸込具の付け替え無しに行うことは難しく、乾いたゴミの吸引掃除の次に水拭き掃除を行う際には、例えば水拭き掃除用の床用吸込具に付け替える必用があった。また、電動の回転ブラシを内包することも難しいものであった。
【０００５】
本発明は、前記従来の課題を解決するもので、複雑な防水構造を必用としないで、簡単に乾いたゴミ掃除と水拭き掃除が行える電気掃除機の提供を目的とする。
【０００６】
【課題を解決するための手段】
前記従来の課題を解決するために本発明の電気掃除機は、吸口に取り付けられた拭き掃除のための軟質吸水体と、前記軟質吸水体に給水する給水タンクを吸口本体に設置する構成とした。これにより、水処理は主に、吸口内で行えるようになるため、電気掃除機の本体側に複雑な防水構造を必用としなくなる。
【０００７】
【発明の実施の形態】
請求項１に記載の発明は、電動送風機を内蔵した掃除機本体の吸引部に接続された吸口と、吸口の床面側に取り付けられた軟質吸水体と、吸口本体に設置され、前記軟質吸水体と給水管によって接続され、前記軟質吸水体に給水する給水タンクを有した電気掃除機とした。これにより、水処理は主に、吸口内で行えるようになるため、電気掃除機の本体側に複雑な防水構造を必用としなくなる。
【０００８】
請求項２に記載の発明は、特に、請求項１に記載の軟質吸水体を吸口から着脱自在とすることにより、乾いたゴミ掃除と水拭き掃除が共通の吸口で行えるようになり、水拭き掃除用の床用吸込具を付け替える必用もなくなるため、乾いたゴミ掃除と水拭き掃除が簡単に行えるようになる。また、簡単に手入れも可能になるものである。
【０００９】
請求項３に記載の発明は、特に、請求項１に記載の軟質吸水体と給水タンクとを固定して、一体に着脱自在な構成とすることにより、より手入れが簡単になり小型化できる。
【００１０】
請求項４に記載の発明は、特に、請求項１に記載の軟質吸水体を、吸口内に収納可能とすることにより、一般の掃除と水拭き掃除が簡単に切り替えることができより使いやすさが向上する。
【００１１】
請求項５に記載の発明は、請求項１または２に記載の発明に加えて、片側面に蓋を取り付けられた軟質吸水体が、自身の長手方向に設けられた軸に回転可能に取り付けられ、回転することにより軟質吸水体の吸水部が吸口内に収納される構成とすることにより、一般の掃除と水拭き掃除が簡単に切り替えることができより使いやすさが向上し、しかも異物が吸口内に入ることを防止できる。
【００１２】
請求項６に記載の発明は、特に、請求項１〜５のいずれか１項に記載の軟質吸水体への水分供給量を制御することにより、適切な水分量を調整でき、用途に適した水拭きが可能になる。
【００１３】
請求項７に記載の発明は、特に、請求項４または５に記載の軟質吸水体が、吸口内に収納されたときに、給水タンクから給水される、又は給水を止める構成とすることにより、給水量が適切に制御でき、より安定した水拭き掃除ができる。
【００１４】
請求項８に記載の発明は、特に、請求項１〜７のいずれか１項に記載の給水タンク内の水あるいは軟質吸水体に、抗菌剤を含ませることにより、床面の抗菌が行え、しかも軟質吸水体などへの菌の繁殖を防止できる。
【００１５】
【実施例】
（実施例１）
図１に、本発明の第一の実施例における電気掃除機を示す。１１は電動送風機１１ａを内蔵した掃除機本体を示し、集塵部１４に設けた吸引部１４ａに接続されたホース１６、延長管１７を介して吸口１２が接続されている。すなわち電動送風機１１ａの吸引力により床面１３の塵埃などが吸口１２から吸引され、集塵部１４で塵埃が分離蓄積される。
【００１６】
図２は横長形状の吸口１２の断面図を示す。図３は上面から、図４は底面から、それぞれ吸口１２を見た図を示す。２１は電動機、あるいは空気流により駆動される回転ブラシであり、表面にブラシを有し、床面の拭き、掃き掃除を行う。２２はスポンジ状の軟質吸水体であり、吸口１２の底面の取り付け部２８に着脱自在に取り付けられる。２３は給水タンクであり、一端に給水ノズル２５が設置された給水管２４が接続されている。給水ノズル２５にはノズル開閉弁２５ａを有したノズル孔２５ｂが設けられている。２７はタンク開閉弁であり給水タンク２３から給水管２４への水の流れを開閉する。
【００１７】
軟質吸水体２２を吸口下面の取り付け部２８に取り付けると、図５に示すように軟質吸水体２２の上端がノズル開閉弁２５ａを押し上げ、ノズル孔２５ｂが開く。次にタンク開閉弁２７を開くと給水タンク２３内の水が軟質吸水体２２へ供給される。ノズル孔２５ｂは微小であり、軟質吸水体２２に含まれる水分が少ない時は水が軟質吸水体２２の吸水力により移動するが、水分が多くなり吸水力が小さくなると自然にノズル孔２５ｂからの水の供給は止まり軟質吸水体２２の水分量は適当な一定の量に保たれる。このように軟質吸水体２２に適度な水分が吸水された状態で、吸口１２を床面１３上を動かすことにより床面が適度な水分で水拭きされる。また、吸引力によって矢印３０ａに示す吸引気流が床面上を流れ水拭きすると同時に床面１３の乾燥が行えるため床面１３を過度に濡らすことが無く床面を傷めることも少ない。
【００１８】
軟質吸水体２２への給水量はノズル孔２５ｂの大きさや数、ノズル開閉弁２５ａの開口度により設定値を変えることができる。又タンク開閉弁２７の開閉を制御する事によっても、軟質吸水体への給水量を可変できる。あるいは給水タンクに空気抜き穴２９を設け、空気抜き孔蓋２９ａを開閉することにより水の流れ量を可変する事も可能である。もちろんポンプなどを吸水経路に設置すればより広い範囲で精度良く給水量を制御できる。吸水量を手動あるいは自動で調整することにより、床面１３の種類、拭き掃除の目的に適した水分量を得ることができより快適な拭き掃除が可能になる。軟質吸水体２２を取り外せば、ノズル開閉弁２５ａは自動的に閉じ通常の乾燥ゴミを対象とした掃除が可能になる。汚れた軟質吸水体２２は取り外して水洗いすれば繰り返し使用することができる。給水タンク２３も吸口１２本体から取り外すことが可能であり簡単に給水、手入れができる。
【００１９】
図６は吸口１２に上下方向にスライド可能に取り付けたガイド枠３２に軟質吸水体２２を固定した構成を示す。この例では図６（ａ）で示すように回転ブラシ２１を上方向に移動させることにより、軟質吸水体２２が床面１３に接し同時にノズル開閉弁２５ａを押し上げノズル孔２５ｂを開き軟質吸水体２２が吸水され水拭きが可能になる。回転ブラシ２１を下方向に移動させると、回転ブラシ２３が床面１３に接し、軟質吸水体２２はガイド枠３２のツバ部３２ａが吸口１２と接する位置まで下がり、軟質吸水体２２はノズル開閉弁２５ａから離れ給水が止まり、又軟質吸水体２２は床面１３からも離れ、回転ブラシ２１を駆動しての一般の掃除ができる。
【００２０】
（実施例２）
図７は軟質吸水体４２と給水タンク４３が一体になった構成を示す。給水口４３ａ、滴下口４３ｂを有した給水タンク４３の滴下口４３ｂ面に軟質吸水体４２が着脱自在に設置され、この両者が一体になった状態で、吸口１２の底面１２ａに着脱自在に取り付けられている。
【００２１】
軟質吸水体４２を取り付けた後、給水口４３ａの蓋４３ｃを開け給水を行い、再び蓋４３ｃを装着した後、吸口１２の底面１２ａに取り付ける。給水タンク４３の水は軟質吸水体に適度な量浸透し、適当に水分を含んだ軟質吸水体４２で床面の水拭き掃除が可能になる。又手入れに関しては給水タンク４３と軟質吸水体４２が一体になっているため取り扱いが簡単である。給水タンク４３と一体になった軟質吸水体４２を図７（ｂ）の様に吸口１２から取り外せば、回転ブラシ２１を運転した一般の掃除が可能になる。４４に示す蓋を底面１２ａに取り付けておけば、軟質吸水体４２を外した部分から空気が流入することが無く吸引力が低下することも無い。
【００２２】
また、図８に示すように一般の掃除をする際、一体になった給水タンク、軟質吸水体を吸口本体に収納する構成も考えられる。図８（ａ）は軟質吸水体４２を吸口１２内に収納し、一般の掃除が可能になった状態を示す。
【００２３】
（実施例３）
図９は軟質吸水体５２が本体に収納できる構成を示す。ガイド枠５３に固定された軟質吸水体５２が吸口１２の取り付け部１２ｂに上下方向にスライド可能に設置されている。５３ａはストッパを示し通常はバネ５３ｃの予圧により外側に突き出しているが、小さな力を加えることにより内側に納まる構成を有している。図９（ａ）のように軟質吸水体５２を引き出すと軟質吸水体５２が床面１３に接する位置で、ガイド枠５３のツバ部５３ｂとストッパ５３ａにより吸口１２に固定される。軟質吸水体５２を上方向に押すとストッパ５３ａが引き込み上方にスライドし図９（ｂ）で示すように軟質吸水体５２の上端がノズル開閉弁２５ａに当接しストッパ５３ａが取り付け部１２ｂの上端に掛かる状態で固定され、吸口１２に収納される。
【００２４】
本実施例では図９（ｂ）で示す軟質吸水体５２を吸口１２に収納した際、給水タンク２５から軟質吸水体５２に水が浸透し、図９（ａ）で示す軟質吸水体５２を床面１３に着くまで下方に動かし床面１３の水拭きをする時には適度な水分を得た状態で使用できるよう構成されている。すなわち図９（ａ）で示す水拭き掃除をしている時には給水は止まり過度の水分が床面１３に移動することを防いでいる。２７はタンク開閉弁であり、給水量の制御を行う。又この構成とは逆に軟質吸水体５２を取り出し床面１３を水拭きする際に給水を行い、収納した際には給水を止める構成も可能であり、又、ノズル開閉弁２５ａを無くし常時給水タンク２５から給水可能な状態でタンク開閉弁２７により給水量を制御する構成も可能である。
【００２５】
図１０は軟質吸水体５２の出し入れを足踏みペダル５７と連動させた例である。足踏みペダル５７は回転軸５７ａを中心に回動し、連接棒５７ｂを介して軟質吸水体５２を上下させる。
【００２６】
図１１は片側面に蓋６２ａを取り付けた軟質吸水体６２の例であり、蓋６２ａに構成された回転軸６２ｂを中心に回転させることにより軟質吸水体を吸口本体に収納できるようにした例であり、収納した際、収納部分が蓋６２ａにより塞がり異物が入ることの防止できる。図１１（ａ）は軟質吸水体６２が収納された状態すなわち、通常の掃除をする状態を示し、図１１（ｂ）は軟質吸水体６２を回動することにより外部に出し床面を水拭き掃除する状態を示す。
【００２７】
（実施例４）
図１２、図１３は吸口１２の底面の前後に軟質吸水体前７２ａと軟質吸水体後７２ｂを取り付けた例であり、移動輪７３の作用で前方に吸口が移動する際に、軟質吸水体後７２ｂが床面に接触し、後方に移動する際には軟質吸水体前が床面に接触する構成になっている。前後に軟質吸水体が設置されているため、壁際などの隅部水拭き掃除ができしかも、前進する際には軟質吸水体前７２ａと床面１３の間に、後進する際には軟質吸水体後７２ｂと床面１３の間に隙間を有するため、比較的大きな塵埃でも吸引することができる。又床面１３との隙間が常に確保されるため、大きな風量拭き掃除が可能になり床面１３を素早く乾燥でき、床面を傷めにくい。図１３は底部から吸口１２を見た図を示す。更に隅部の拭き掃除を効率的に行うために吸口１２の周囲に軟質吸水体を配置し、吸口１２の操作によって前進するときには前部を後進するときには後部を持ち上げ床面１３との隙間を生じさせる構成や、吸口１２の全週に軟質吸水体を配置し吸口の上面から空気を流入させ床面１３の乾燥を行う構成も考えられる。
【００２８】
また、水に抗菌剤などを混ぜると床面の抗菌が行え、又軟質吸水体に菌が繁殖することも無い。軟質吸水体に抗菌剤を混入させ水によって徐々に溶け出させる構成も可能である。
【００２９】
また、床面の保護潤滑剤、つや出し剤などを混入させることも可能である。軟質吸水体の材料としては、発泡ウレタン等の多孔質樹脂、不織布、繊維質の布等多くの種類が考えられる。
【００３０】
【発明の効果】
以上のように本発明によれば、複雑な防水構造を必用としないで、乾いたゴミ掃除と水拭き掃除が簡単に行える電気掃除機を提供できるようになる。
【図面の簡単な説明】
【図１】本発明の実施例１における電気掃除機の全体構成図
【図２】（ａ）同、軟質吸水体を取り付けた状態での吸口の断面図
（ｂ）同、軟質吸水体を取り外した状態での吸口の断面図
【図３】同、吸口の底面図
【図４】同、吸口の上面図
【図５】（ａ）同、ノズル孔が閉じている状態を示す給水ノズルの要部断面図
（ｂ）同、ノズル孔が開いている状態を示す給水ノズルの要部断面図
【図６】（ａ）同、回転ブラシが上方向に移動した状態の吸口の断面図
（ｂ）同、回転ブラシが下方向に移動した状態の吸口の断面図
【図７】（ａ）本発明の実施例２における電気掃除機の吸口の断面図
（ｂ）同、軟質吸水体を外した状態の吸口の断面図
【図８】（ａ）同、軟質吸水体が吸口内に収納された状態の吸口の断面図
（ｂ）同、軟質吸水体を吸口内から引き出した状態の吸口の断面図
【図９】（ａ）本発明の実施例３における電気掃除機の吸口の断面図
（ｂ）同、軟質吸水体を収納した状態の吸口の断面図
（ｃ）同、軟質吸水体の要部断面図
【図１０】（ａ）同、他の実施例を示す吸口の断面図
（ｂ）同、軟質吸水体を収納した状態の吸口の断面図
【図１１】（ａ）同、他の実施例を示す吸口の断面図
（ｂ）同、軟質吸水体が吸口から飛び出た状態の吸口の断面図
【図１２】（ａ）本発明の実施例４における電気掃除機の吸口が後進している状態の断面図
（ｂ）同、吸口が前進している状態の断面図
【図１３】同、吸口を底面から見た一部欠載底面図
【符号の説明】
１１  掃除機本体
１２  吸口
２２、４２、５２、６２  軟質吸水体
２３、４３、５２ａ  給水タンク
２４  給水管
６２ａ  蓋
【図１】
2004350826.tif 000003
【図２】
2004350826.tif 000004
【図３】
2004350826.tif 000005
【図４】
2004350826.tif 000006
【図５】
2004350826.tif 000007
【図６】
2004350826.tif 000008
【図７】
2004350826.tif 000009
【図８】
2004350826.tif 000010
【図９】
2004350826.tif 000011
【図１０】
2004350826.tif 000012
【図１１】
2004350826.tif 000013
【図１２】
2004350826.tif 000014
【図１３】
2004350826.tif 000015